(57)【特許請求の範囲】
【請求項１】
駐車場の利用者が操作する利用者端末装置、及び、前記駐車場の駐車料金の割引特典を前記利用者に対して付与する事業者が操作する事業者端末装置とそれぞれ通信可能なサーバにおいて、前記駐車料金の割引に関わる処理を実行させるプログラムであって、
前記サーバは、
各前記利用者に付与された前記割引特典に関する利用者特典情報と、
各前記事業者が保有するポイントであって、前記割引特典を行使した前記駐車料金の支払いが行われた場合に当該割引特典を付与した前記事業者が負担する当該割引特典の割引額に応じて減少させるべき前記ポイントに関するポイント情報と
を記憶した１以上のデータベースにアクセス可能であり、
前記プログラムが前記サーバに実行させる前記処理は、
一の前記事業者が１以上の前記利用者に対して新たな前記割引特典を付与することを示す特典付与指示を前記事業者端末装置から受信すると、前記特典付与指示に応じて前記利用者特典情報を更新する工程と、
一の前記利用者が前記割引特典を行使した場合の前記駐車料金の精算金額を確認可能な精算画面であって、前記一の利用者が行使可能な１以上の前記割引特典の情報を含むように前記利用者特典情報に基づいて構成された前記精算画面を前記利用者端末装置に表示させる工程と、
前記精算画面において確認された精算金額により前記駐車料金の支払いが完了したことを示す支払い完了通知であって、少なくとも１つの前記割引特典を行使した前記駐車料金の支払いが完了したことを示す前記支払い完了通知を受信すると、当該少なくとも１つの割引特典を付与した少なくとも１つの前記事業者が保有する前記ポイントから、当該少なくとも１つの割引特典の割引額に応じた値をそれぞれ減算する工程とを有する、
プログラム。
【請求項２】
前記特典付与指示に応じて前記利用者特典情報を更新する工程は、
前記ポイント情報に基づいて、前記特典付与指示に係る前記一の事業者が保有する前記ポイントを取得することと、
前記特典付与指示に係る前記割引特典の割引額に対応する前記ポイントに比べて前記取得したポイントが小さい場合、前記特典付与指示に応じた前記利用者特典情報の更新を行わないこととを含む、
請求項１に記載のプログラム。
【請求項３】
前記１以上のデータベースは、複数の前記割引特典の各々における割引適用条件及び割引内容に関する割引特典情報を記憶しており、
前記精算画面を表示させる工程は、前記利用者特典情報において前記一の利用者が行使可能であり、かつ、前記割引特典情報の前記割引適用条件を満たした前記割引特典の前記割引内容に関する情報を含むように構成された前記精算画面を前記利用者端末装置に表示させることを含む、
請求項１又は２に記載のプログラム。
【請求項４】
前記割引適用条件は、
割引が適用される期間に関する条件と、
前記駐車料金の精算を行う前記駐車場に関する条件と、
前記駐車料金の精算を行う前記駐車場がある地域に関する条件と、
前記駐車料金の精算を行う前記駐車場の利用頻度に関する条件と、
前記駐車料金の精算を行う前記駐車場の車室毎の利用頻度に関する条件と、
前記駐車場を利用した時間帯に関する条件と、
前記駐車場を利用した曜日、月又は期間に関する条件と、
前記駐車料金の精算を行う前記駐車場における天気に関する条件と、
前記駐車料金の精算を行う前記利用者に関する条件と、
前記駐車料金の精算を行う前記利用者が駐車料金を前払いしていることに関する条件と、
前記駐車料金の精算を行う前記利用者に対して所定の期間内の駐車料金が設定されていることに関する条件と、
前記駐車料金の精算を行う前記利用者の駐車場利用状況に関する条件と
の少なくとも１つを含む、
請求項３に記載のプログラム。
【請求項５】
前記割引内容は、
前記駐車料金が設定された時間だけ若しくは時間制限なしに無料になることと、
前記駐車料金が設定された金額だけ割引になることと、
所定時間あたりの前記駐車料金が設定された時間だけ若しくは時間制限なしに設定された金額だけ割引になることと、
設定された期間の前記駐車料金が設定された最大料金以下になることと、
設定された期間の前記駐車料金が一定の金額になることと、
前記駐車料金の精算額に応じて前記割引特典を付与することと
の少なくとも１つを含む、
請求項３又は請求項４に記載のプログラム。
【請求項６】
前記１以上のデータベースは、
各前記事業者に関する事業者情報と、
各前記事業者に関連付けられた１以上の付帯事業者に関する付帯事業者情報と
を記憶しており、
前記サーバは、前記付帯事業者が操作する付帯事業者端末装置と通信可能であり、
前記利用者特典情報を更新する工程は、一の前記付帯事業者が１以上の前記利用者に対して新たな前記割引特典を付与することを示す前記特典付与指示を前記付帯事業者端末装置から受信すると、前記特典付与指示に応じて前記利用者特典情報を更新することを含み、
前記ポイントを減算する工程は、一の前記付帯事業者が付与した前記割引特典を行使した前記駐車料金の支払いが完了したことを示す前記支払い完了通知を受信すると、前記付帯事業者情報において当該一の付帯事業者に関連付けられた前記事業者が保有する前記ポイントから、当該一の付帯義業者が付与した前記割引特典の割引額に応じた値を減算することを含む、
請求項１〜５のいずれか一項に記載のプログラム。
【請求項７】
前記プログラムが前記サーバに実行させる前記処理は、
一の前記事業者が前記ポイントを購入したことを示すポイント購入通知を受信した場合に、受信した前記ポイント購入通知に応じて当該一の事業者が保有する前記ポイントを加算するように前記ポイント情報を更新する工程を有する、
請求項１〜６のいずれか一項に記載のプログラム。
【請求項８】
前記プログラムが前記サーバに実行させる前記処理は、
一の事業者が保有する前記ポイントの値が所定の下限値を下回った場合に、前記ポイントの減少を警告する通知を含んだ画面を前記事業者端末装置において表示させる工程を有する、
請求項１〜７のいずれか一項に記載のプログラム。
【請求項９】
前記利用者特典情報を更新する工程は、
一の前記事業者が操作する前記事業者端末装置から一の前記割引特典の付与を指示する前記特典付与指示を受信すると、前記一の割引特典を示す割引特典識別情報が含まれた二次元コードを当該一の事業者端末装置において表示させることと、
一の前記利用者が操作する前記利用者端末装置から、前記二次元コードを読み取ることにより取得された前記割引特典識別情報を受信すると、前記一の事業者が前記一の利用者に対して前記割引特典識別情報が示す前記一の割引特典を付与したこと示すように前記利用者特典情報を更新することとを含む、
請求項１〜８のいずれか一項に記載のプログラム。
【請求項１０】
駐車場の利用者が操作する利用者端末装置、及び、前記駐車場の駐車料金の割引特典を前記利用者に対して付与する事業者が操作する事業者端末装置とそれぞれ通信可能なサーバであって、
処理部と、
前記処理部において前記駐車料金の割引に関わる処理を実行させるプログラムの命令を記憶した記憶部とを有し、
前記サーバは、
各前記利用者に付与された前記割引特典に関する利用者特典情報と、
各前記事業者が保有するポイントであって、前記割引特典を行使した前記駐車料金の支払いが行われた場合に当該割引特典を付与した前記事業者が負担する当該割引特典の割引額に応じて減少させるべき前記ポイントに関するポイント情報と
を記憶した１以上のデータベースにアクセス可能であり、
前記プログラムの命令に従って前記処理部が実行する処理は、
一の前記事業者が１以上の前記利用者に対して新たな前記割引特典を付与することを示す特典付与指示を前記事業者端末装置から受信すると、前記特典付与指示に応じて前記利用者特典情報を更新する工程と、
一の前記利用者が前記割引特典を行使した場合の前記駐車料金の精算金額を確認可能な精算画面であって、前記一の利用者が行使可能な１以上の前記割引特典の情報を含むように前記利用者特典情報に基づいて構成された前記精算画面を前記利用者端末装置に表示させる工程と、
前記精算画面において確認された精算金額により前記駐車料金の支払いが完了したことを示す支払い完了通知であって、少なくとも１つの前記割引特典を行使した前記駐車料金の支払いが完了したことを示す前記支払い完了通知を受信すると、当該少なくとも１つの割引特典を付与した少なくとも１つの前記事業者が保有する前記ポイントから、当該少なくとも１つの割引特典の割引額に応じた値をそれぞれ減算する工程とを有する、
サーバ。
【請求項１１】
駐車場の利用者が操作する利用者端末装置と、
前記駐車場の駐車料金の割引特典を前記利用者に対して付与する事業者が操作する事業者端末装置と、
前記利用者端末装置及び前記事業者端末装置とそれぞれ通信可能なサーバと
を有し、
前記サーバは、
処理部と、
前記処理部において前記駐車料金の割引に関わる処理を実行させるプログラムの命令を記憶した記憶部とを有し、
前記サーバは、
各前記利用者に付与された前記割引特典に関する利用者特典情報と、
各前記事業者が保有するポイントであって、前記割引特典を行使した前記駐車料金の支払いが行われた場合に当該割引特典を付与した前記事業者が負担する当該割引特典の割引額に応じて減少させるべき前記ポイントに関するポイント情報と
を記憶した１以上のデータベースにアクセス可能であり、
前記サーバの前記処理部が前記プログラムの命令に従って実行する処理は、
一の前記事業者が１以上の前記利用者に対して新たな前記割引特典を付与することを示す特典付与指示を前記事業者端末装置から受信すると、前記特典付与指示に応じて前記利用者特典情報を更新する工程と、
一の前記利用者が前記割引特典を行使した場合の前記駐車料金の精算金額を確認可能な精算画面であって、前記一の利用者が行使可能な１以上の前記割引特典の情報を含むように前記利用者特典情報に基づいて構成された前記精算画面を前記利用者端末装置に表示させる工程と、
前記精算画面において確認された精算金額により前記駐車料金の支払いが完了したことを示す支払い完了通知であって、少なくとも１つの前記割引特典を行使した前記駐車料金の支払いが完了したことを示す前記支払い完了通知を受信すると、当該少なくとも１つの割引特典を付与した少なくとも１つの前記事業者が保有する前記ポイントから、当該少なくとも１つの割引特典の割引額に応じた値をそれぞれ減算する工程とを有する、
システム。
【請求項１２】
駐車場の利用者が操作する利用者端末装置、及び、前記駐車場の駐車料金の割引特典を前記利用者に対して付与する事業者が操作する事業者端末装置とそれぞれ通信可能なサーバが行う駐車料金割引方法であって、
前記サーバは、
各前記利用者に付与された前記割引特典に関する利用者特典情報と、
各前記事業者が保有するポイントであって、前記割引特典を行使した前記駐車料金の支払いが行われた場合に当該割引特典を付与した前記事業者が負担する当該割引特典の割引額に応じて減少させるべき前記ポイントに関するポイント情報と
を記憶した１以上のデータベースにアクセス可能であり、
一の前記事業者が１以上の前記利用者に対して新たな前記割引特典を付与することを示す特典付与指示を前記事業者端末装置から受信すると、前記特典付与指示に応じて前記利用者特典情報を更新する工程と、
一の前記利用者が前記割引特典を行使した場合の前記駐車料金の精算金額を確認可能な精算画面であって、前記一の利用者が行使可能な１以上の前記割引特典の情報を含むように前記利用者特典情報に基づいて構成された前記精算画面を前記利用者端末装置に表示させる工程と、
前記精算画面において確認された精算金額により前記駐車料金の支払いが完了したことを示す支払い完了通知であって、少なくとも１つの前記割引特典を行使した前記駐車料金の支払いが完了したことを示す前記支払い完了通知を受信すると、当該少なくとも１つの割引特典を付与した少なくとも１つの前記事業者が保有する前記ポイントから、当該少なくとも１つの割引特典の割引額に応じた値をそれぞれ減算する工程とを有する、
駐車料金割引方法。
【発明の詳細な説明】
【技術分野】
【０００１】
本発明は、駐車料金の割引に関するプログラム、システム、サーバ及び駐車料金割引方法に関するものである。
【背景技術】
【０００２】
スマートフォンのアプリから空き駐車場を検索し、利用後の駐車料金を登録済みのクレジットカートから自動で精算するシステムがある。
駐車場管理システムは、駐車場に駐車している車両の出庫を制限するフラップ装置とネットワークを介して通信を行うことでフラップ装置を制御する管理サーバ装置と、駐車料金の精算処理に必要な決済情報をサーバ装置に送信する端末装置とを備える。管理サーバ装置または端末装置は、駐車料金の精算処理が終了した場合、フラップ装置を制御して、車両の出庫を可能にする。
【先行技術文献】
【特許文献】
【０００３】
【特許文献１】特開２０１９−１１４０７０号公報
【発明の概要】
【発明が解決しようとする課題】
【０００４】
ところで、従来、駐車料金の割引には磁気などにより情報が記録された紙の割引券が一般的に使用されている。しかしながら、紙の割引券を利用する従来の方法では、事前に割引券を店舗等へ配達したり、駐車場の精算機から割引券を回収して再利用したりするなど、運用にあたって必要となる種々の作業が発生し、手間がかかるという問題がある。また、割引券の現品を切らした場合、新たな割引券を店舗等まで届ける必要があり、割引券を簡単に補充できないという問題もある。
【０００５】
本発明はかかる事情に鑑みてなされたものであり、その目的は、駐車料金の割引に係る作業を減らすことができるプログラム、サーバ、システム及び駐車料金割引方法を提供することにある。
【課題を解決するための手段】
【０００６】
本発明の第１の態様に係るプログラムは、駐車場の利用者が操作する利用者端末装置、及び、前記駐車場の駐車料金の割引特典を前記利用者に対して付与する事業者が操作する事業者端末装置とそれぞれ通信可能なサーバにおいて、前記駐車料金の割引に関わる処理を実行させるプログラムであって、前記サーバは、各前記利用者に付与された前記割引特典に関する利用者特典情報と、各前記事業者が保有するポイントであって、前記割引特典を行使した前記駐車料金の支払いが行われた場合に当該割引特典を付与した前記事業者が負担する当該割引特典の割引額に応じて減少させるべき前記ポイントに関するポイント情報とを記憶した１以上のデータベースにアクセス可能であり、前記プログラムが前記サーバに実行させる前記処理は、一の前記事業者が１以上の前記利用者に対して新たな前記割引特典を付与することを示す特典付与指示を前記事業者端末装置から受信すると、前記特典付与指示に応じて前記利用者特典情報を更新する工程と、一の前記利用者が前記割引特典を行使した場合の前記駐車料金の精算金額を確認可能な精算画面であって、前記一の利用者が行使可能な１以上の前記割引特典の情報を含むように前記利用者特典情報に基づいて構成された前記精算画面を前記利用者端末装置に表示させる工程と、前記精算画面において確認された精算金額により前記駐車料金の支払いが完了したことを示す支払い完了通知であって、少なくとも１つの前記割引特典を行使した前記駐車料金の支払いが完了したことを示す前記支払い完了通知を受信すると、当該少なくとも１つの割引特典を付与した少なくとも１つの前記事業者が保有する前記ポイントから、当該少なくとも１つの割引特典の割引額に応じた値をそれぞれ減算する工程とを有する、プログラムである。
【０００７】
好適に、前記特典付与指示に応じて前記利用者特典情報を更新する工程は、前記ポイント情報に基づいて、前記特典付与指示に係る前記一の事業者が保有する前記ポイントを取得することと、前記特典付与指示に係る前記割引特典の割引額に対応する前記ポイントに比べて前記取得したポイントが小さい場合、前記特典付与指示に応じた前記利用者特典情報の更新を行わないこととを含む。
【０００８】
好適に、前記１以上のデータベースは、複数の前記割引特典の各々における割引適用条件及び割引内容に関する割引特典情報を記憶しており、前記精算画面を表示させる工程は、前記利用者特典情報において前記一の利用者が行使可能であり、かつ、前記割引特典情報の前記割引適用条件を満たした前記割引特典の前記割引内容に関する情報を含むように構成された前記精算画面を前記利用者端末装置に表示させることを含む。
【０００９】
好適に、前記割引適用条件は、割引が適用される期間に関する条件と、前記駐車料金の精算を行う前記駐車場に関する条件と、前記駐車料金の精算を行う前記駐車場がある地域に関する条件と、前記駐車料金の精算を行う前記駐車場の利用頻度に関する条件と、前記駐車料金の精算を行う前記駐車場の車室毎の利用頻度に関する条件と、駐車場を利用した時間帯に関する条件と、前記駐車場を利用した曜日、月又は期間に関する条件と、前記駐車料金の精算を行う前記駐車場における天気に関する条件と、前記駐車料金の精算を行う前記利用者に関する条件と、前記駐車料金の精算を行う前記利用者が駐車料金を前払いしていることに関する条件と、前記駐車料金の精算を行う前記利用者に対して所定の期間内の駐車料金が設定されていることに関する条件と、前記駐車料金の精算を行う前記利用者の駐車場利用状況に関する条件との少なくとも１つを含む。
【００１０】
好適に、前記割引内容は、前記駐車料金が設定された時間だけ若しくは時間制限なしに無料になることと、前記駐車料金が設定された金額だけ割引になることと、所定時間あたりの前記駐車料金が設定された時間だけ若しくは時間制限なしに設定された金額だけ割引になることと、設定された期間の前記駐車料金が設定された最大料金以下になることと、設定された期間の前記駐車料金が一定の金額になることと、前記駐車料金の精算額に応じて前記割引特典を付与することとの少なくとも１つを含む。
【００１１】
好適に、前記１以上のデータベースは、各前記事業者に関する事業者情報と、各前記事業者に関連付けられた１以上の付帯事業者に関する付帯事業者情報とを記憶しており、前記サーバは、前記付帯事業者が操作する付帯事業者端末装置と通信可能であり、前記利用者特典情報を更新する工程は、一の前記付帯事業者が１以上の前記利用者に対して新たな前記割引特典を付与することを示す前記特典付与指示を前記付帯事業者端末装置から受信すると、前記特典付与指示に応じて前記利用者特典情報を更新することを含み、前記ポイントを減算する工程は、一の前記付帯事業者が付与した前記割引特典を行使した前記駐車料金の支払いが完了したことを示す前記支払い完了通知を受信すると、前記付帯事業者情報において当該一の付帯事業者に関連付けられた前記事業者が保有する前記ポイントから、当該一の付帯義業者が付与した前記割引特典の割引額に応じた値を減算することを含む。
【００１２】
好適に、前記プログラムが前記サーバに実行させる前記処理は、一の前記事業者が前記ポイントを購入したことを示すポイント購入通知を受信した場合に、受信した前記ポイント購入通知に応じて当該一の事業者が保有する前記ポイントを加算するように前記ポイント情報を更新する工程を有する。
【００１３】
好適に、前記プログラムが前記サーバに実行させる前記処理は、一の事業者が保有する前記ポイントの値が所定の下限値を下回った場合に、前記ポイントの減少を警告する通知を含んだ画面を前記事業者端末装置において表示させる工程を有する。
【００１４】
好適に、前記利用者特典情報を更新する工程は、一の前記事業者が操作する前記事業者端末装置から一の前記割引特典の付与を指示する前記特典付与指示を受信すると、前記一の割引特典を示す割引特典識別情報が含まれた二次元コードを当該一の事業者端末装置において表示させることと、一の前記利用者が操作する前記利用者端末装置から、前記二次元コードを読み取ることにより取得された前記割引特典識別情報を受信すると、前記一の事業者が前記一の利用者に対して前記割引特典識別情報が示す前記一の割引特典を付与したこと示すように前記利用者特典情報を更新することとを含む。
【００１５】
本発明の第２の態様に係るサーバは、駐車場の利用者が操作する利用者端末装置、及び、前記駐車場の駐車料金の割引特典を前記利用者に対して付与する事業者が操作する事業者端末装置とそれぞれ通信可能なサーバであって、処理部と、前記処理部において前記駐車料金の割引に関わる処理を実行させるプログラムの命令を記憶した記憶部とを有し、前記サーバは、各前記利用者に付与された前記割引特典に関する利用者特典情報と、各前記事業者が保有するポイントであって、前記割引特典を行使した前記駐車料金の支払いが行われた場合に当該割引特典を付与した前記事業者が負担する当該割引特典の割引額に応じて減少させるべき前記ポイントに関するポイント情報とを記憶した１以上のデータベースにアクセス可能であり、前記プログラムの命令に従って前記処理部が実行する処理は、一の前記事業者が１以上の前記利用者に対して新たな前記割引特典を付与することを示す特典付与指示を前記事業者端末装置から受信すると、前記特典付与指示に応じて前記利用者特典情報を更新する工程と、一の前記利用者が前記割引特典を行使した場合の前記駐車料金の精算金額を確認可能な精算画面であって、前記一の利用者が行使可能な１以上の前記割引特典の情報を含むように前記利用者特典情報に基づいて構成された前記精算画面を前記利用者端末装置に表示させる工程と、前記精算画面において確認された精算金額により前記駐車料金の支払いが完了したことを示す支払い完了通知であって、少なくとも１つの前記割引特典を行使した前記駐車料金の支払いが完了したことを示す前記支払い完了通知を受信すると、当該少なくとも１つの割引特典を付与した少なくとも１つの前記事業者が保有する前記ポイントから、当該少なくとも１つの割引特典の割引額に応じた値をそれぞれ減算する工程とを有する、サーバである。
【００１６】
本発明の第３の態様に係るシステムは、駐車場の利用者が操作する利用者端末装置と、前記駐車場の駐車料金の割引特典を前記利用者に対して付与する事業者が操作する事業者端末装置と、前記利用者端末装置及び前記事業者端末装置とそれぞれ通信可能なサーバとを有し、前記サーバは、処理部と、前記処理部において前記駐車料金の割引に関わる処理を実行させるプログラムの命令を記憶した記憶部とを有し、前記サーバは、各前記利用者に付与された前記割引特典に関する利用者特典情報と、各前記事業者が保有するポイントであって、前記割引特典を行使した前記駐車料金の支払いが行われた場合に当該割引特典を付与した前記事業者が負担する当該割引特典の割引額に応じて減少させるべき前記ポイントに関するポイント情報とを記憶した１以上のデータベースにアクセス可能であり、前記サーバの前記処理部が前記プログラムの命令に従って実行する処理は、一の前記事業者が１以上の前記利用者に対して新たな前記割引特典を付与することを示す特典付与指示を前記事業者端末装置から受信すると、前記特典付与指示に応じて前記利用者特典情報を更新する工程と、一の前記利用者が前記割引特典を行使した場合の前記駐車料金の精算金額を確認可能な精算画面であって、前記一の利用者が行使可能な１以上の前記割引特典の情報を含むように前記利用者特典情報に基づいて構成された前記精算画面を前記利用者端末装置に表示させる工程と、前記精算画面において確認された精算金額により前記駐車料金の支払いが完了したことを示す支払い完了通知であって、少なくとも１つの前記割引特典を行使した前記駐車料金の支払いが完了したことを示す前記支払い完了通知を受信すると、当該少なくとも１つの割引特典を付与した少なくとも１つの前記事業者が保有する前記ポイントから、当該少なくとも１つの割引特典の割引額に応じた値をそれぞれ減算する工程とを有する、システムである。
【００１７】
本発明の第４の態様に係る駐車料金割引方法は、駐車場の利用者が操作する利用者端末装置、及び、前記駐車場の駐車料金の割引特典を前記利用者に対して付与する事業者が操作する事業者端末装置とそれぞれ通信可能なサーバが行う駐車料金割引方法であって、前記サーバは、各前記利用者に付与された前記割引特典に関する利用者特典情報と、各前記事業者が保有するポイントであって、前記割引特典を行使した前記駐車料金の支払いが行われた場合に当該割引特典を付与した前記事業者が負担する当該割引特典の割引額に応じて減少させるべき前記ポイントに関するポイント情報とを記憶した１以上のデータベースにアクセス可能であり、一の前記事業者が１以上の前記利用者に対して新たな前記割引特典を付与することを示す特典付与指示を前記事業者端末装置から受信すると、前記特典付与指示に応じて前記利用者特典情報を更新する工程と、一の前記利用者が前記割引特典を行使した場合の前記駐車料金の精算金額を確認可能な精算画面であって、前記一の利用者が行使可能な１以上の前記割引特典の情報を含むように前記利用者特典情報に基づいて構成された前記精算画面を前記利用者端末装置に表示させる工程と、前記精算画面において確認された精算金額により前記駐車料金の支払いが完了したことを示す支払い完了通知であって、少なくとも１つの前記割引特典を行使した前記駐車料金の支払いが完了したことを示す前記支払い完了通知を受信すると、当該少なくとも１つの割引特典を付与した少なくとも１つの前記事業者が保有する前記ポイントから、当該少なくとも１つの割引特典の割引額に応じた値をそれぞれ減算する工程とを有する、駐車料金割引方法である。
【発明の効果】
【００１８】
本発明によれば、駐車料金の割引に係る作業を減らすことができるプログラム、サーバ、システム及び駐車料金割引方法を提供できる。
【図面の簡単な説明】
【００１９】
【図１】図１は、本実施形態に係るシステムの構成の一例を示す図である。
【図２】図２は、アプリサーバ、駐車場サーバ及びフラップ装置の構成の一例を示す図である。
【図３】図３は、利用者端末装置、事業者端末装置及び付帯事業者端末装置の構成の一例を示す図である。
【図４】図４は、利用者端末装置に表示される画面の一例を示す図である。
【図５】図５は、利用者端末装置に表示される画面の一例を示す図である。
【図６】図６は、利用者端末装置に表示される画面の一例を示す図である。
【図７】図７は、利用者端末装置に表示される画面の一例を示す図である。
【図８】図８は、利用者端末装置に表示される画面の一例を示す図である。
【図９】図９は、利用者端末装置に表示される画面の一例を示す図である。
【図１０】図１０は、利用者端末装置に表示される画面の一例を示す図である。
【図１１】図１１は、事業者がポイントを購入する処理の一例を説明するための図である。
【図１２】図１２は、駐車場の利用者に事業者が割引特典を付与する処理の一例を説明するための図である。
【図１３】図１３は、駐車料金の精算と決済に関する処理の一例を説明するための図である。
【発明を実施するための形態】
【００２０】
図１は、本実施形態に係るシステム１の構成の一例を示す図である。
図１に示すシステム１は、自動車等の車両のドライバである利用者が、移動先の所定の場所で時間貸しの駐車場を検索し、当該検索した駐車場に車両を移動して駐車し、出庫時に精算する際に用いられる。
【００２１】
図１に示すシステム１は、例えば、１以上の駐車場サーバ１３と、１以上の決済サーバ１５と、１以上のフラップ装置１７と、１以上の利用者端末装置２１と、１以上の事業者端末装置２５と、１以上の付帯事業者端末装置２７と、アプリサーバ２３とを有する。システム１の各装置は、例えば図１に示すように、インターネットなどのネットワーク９を介して相互に通信可能である。
【００２２】
駐車場サーバ１３は、１以上の駐車場に設置されたフラップ装置１７を制御する装置である。駐車場サーバ１３は、フラップ装置１７において検出された車両の入庫時刻と精算時点の時刻とに基づく駐車料金の情報をアプリサーバ２３や利用者端末装置２１に通知する。
【００２３】
決済サーバ１５は、駐車料金の支払いや後述するポイントの購入などの電子的な決済に関わる処理を実行する装置であり、例えばクレジットカード会社によって運営される。
【００２４】
利用者端末装置２１は、駐車場の利用者が操作する装置であり、例えばスマートフォン、タブレット端末、ノートパソコン、ＰＤＡ（Personal Digital Assistant）、携帯型ゲーム機などの携帯型情報通信機器を利用者端末装置２１として用いることができる。
【００２５】
事業者端末装置２５は、駐車場の利用者に対して駐車場の駐車料金の割引特典を付与する事業者により操作される装置であり、例えばデスクトップ型のパソコンや、ノートパソコン、タブレットなどの情報通信機器を事業者端末装置２５として用いることができる。事業者端末装置２５は、利用者に対する割引特典の付与に関する処理や、事業者が保有可能なポイントの購入に関する処理や、事業者に関する各種の情報の登録に関する処理等を行う。
【００２６】
事業者が保有するポイントは、割引特典を行使した駐車料金の支払いが行われた場合に当該割引特典を付与した事業者が負担する当該割引特典の割引額に応じて減少させるべきものとして規定された点数であり、アプリサーバ２３の後述するポイント情報において事業者毎に管理される。事業者は、自らが保有するポイントに基づいて、駐車場の利用者に対する割引特典の付与を行うことができる。
【００２７】
付帯事業者端末装置２７は、付帯事業者により操作される装置であり、例えばデスクトップ型のパソコンや、ノートパソコン、タブレットなどの情報通信機器を事業者端末装置２５として用いることができる。個々の付帯事業者は、アプリサーバ２３の後述する付帯事業者情報において、特定の１つの事業者に関連付けられている。１つの事業者に関連付けられた付帯事業者は、当該１つの事業者が保有するポイントに基づいて割引特典の付与を行うことができる。すなわち、１つの付帯事業者が割引特典の付与を行うと、当該１つの付帯事業者に関連付けられた１つの事業者の保有するポイントが割引特典の割引額に応じて減算される。付帯事業者は、例えば複合店舗に出店する個々の店舗に相当する。この場合、複合店舗を運営する事業者は、付帯事業者に関連付けられた事業者に相当する。
【００２８】
アプリサーバ２３は、駐車料金の精算や割引に関する処理を行う装置であり、例えば時間貸し駐車場を管理する事業者によって運営される。アプリサーバ２３は、本発明のサーバの一実施形態である。はお、駐車場サーバ１３とアプリサーバ２３は同一の事業者によって運営されてもよいし、異なる事業者によって運営されてもよい。
【００２９】
［駐車場サーバ１３］
駐車場サーバ１３は、１以上の駐車場に設置されたフラップ装置１７と通信を行い、フラップ４１による車両のロックの解除を制御する。また駐車場サーバ１３は、フラップ装置１７において検出された車両の入庫時刻と精算時点の時刻とに基づく駐車料金の情報を取得する処理や、フラップ装置１７において検出された車両の有無の情報（空き情報）を取得する処理などを行う。
【００３０】
駐車場サーバ１３は、例えば図２に示すように、通信部５１と、メモリ５３と、処理部５５とを有する。
駐車場サーバ１３の処理部５５は、フラップ装置１７から受信した入庫通知に含まれる駐車場ＩＤ及び車室ＩＤと、入庫時刻情報とを関連付けて入庫情報としてメモリ５３に記憶する。入庫時刻情報は、フラップ装置１７のタイマにより生成されて入庫通知に含まれたものを用いてもよいし、駐車場サーバ１３が入庫通知を受信した時刻を基に駐車場サーバ１３が備えるタイマにより生成されたものを用いてもよい。
【００３１】
駐車場サーバ１３の処理部５５は、利用者端末装置２１やアプリサーバ２３から駐車料金の情報を求める料金情報要求を受信した場合に、料金情報要求に含まれる駐車場ＩＤ及び車室ＩＤと、メモリ５３に記憶された入庫時刻情報とを基に、駐車料金を計算する。処理部５５は、この駐車料金の計算結果を含む料金情報通知を要求元の利用者端末装置２１やアプリサーバ２３に送信する。
【００３２】
なお、駐車料金の計算はフラップ装置１７で行ってもよい。この場合、駐車場サーバ１３は、料金情報要求に含まれる駐車場ＩＤ及び車室ＩＤをフラップ装置１７に送信し、フラップ装置１７から計算結果の駐車料金を取得する。
【００３３】
駐車場サーバ１３の処理部５５は、駐車料金の支払いが完了したことを示す支払い完了通知を利用者端末装置２１やアプリサーバ２３から受信した場合、支払い完了通知に含まれる駐車場ＩＤ及び車室ＩＤに対応したフラップ装置１７を制御し、フラップ４１による車両のロックを解除する。
【００３４】
［フラップ装置１７］
フラップ装置１７は、駐車場における個々の駐車スペース（車室）に設置されており、車両が車室に駐車された状態で車両の移動を制限するためのフラップ４１を有する。複数の車室を有する駐車場には、車室の数に対応した複数のフラップ装置１７が設置される。
【００３５】
フラップ装置１７は、例えば図２に示すように、フラップ４１と、車両検出センサ４３と、通信部４５と、処理部４７とを有する。
フラップ装置１７の処理部４７は、車両検出センサ４３が検出した車両の有無の情報を通信部４５により駐車場サーバ１３へ送信する。処理部４７は、車両検出センサ４３において車両の入庫を検出した場合、車両の入庫を示す入庫通知を通信部４５により駐車場サーバ１３へ送信するとともに、所定の時間が経過した後にフラップ４１を上昇させて車両をロックする（車両を移動できないようにする）。また、処理部４７は、駐車場サーバ１３から通信部４５によりフラップ下降指示を受信した場合、フラップ４１を下降させて車両のロックを解除する。
【００３６】
［利用者端末装置２１］
利用者端末装置２１は、例えば図３に示すように、操作部７１と、ディスプレイ７３と、カメラ７４と、通信部７５と、メモリ７７と、処理部７９とを有する。
【００３７】
利用者端末装置２１には、例えば、駐車料金の精算や割引に関する処理を実行する専用のアプリケーションプログラム（以下、専用アプリと称する場合がある。）がインストールされており、その専用アプリを実行することにより、後述する処理が実行される。
【００３８】
なお、利用者端末装置２１による上述の専用アプリと同様の処理は、利用者端末装置２１にインストールされた汎用のウェブブラウザでも実現可能である。すなわち、利用者端末装置２１は、ウェブサーバとして動作するアプリサーバ２３との間で所定の情報をやり取りすることが可能なウェブブラウザにより、後述する画面をディスプレイ７３に表示させたり、アプリサーバ２３に対して種々の情報や指示を送信してもよい。この場合、利用者端末装置２１は、駐車場サーバ１３や決済サーバ１５との間でウェブブラウザにより情報をやり取りしてもよい。
【００３９】
操作部７１は、ユーザの操作に応じた指示や情報を入力するための装置であり、例えばキーボード、マウス、タッチパッド、タッチパネルなどの入力機器を含む。
【００４０】
ディスプレイ７３は、処理部７９から入力される画像データに応じた画像を表示する装置であり、例えば液晶ディスプレイや有機ＥＬディスプレイなどを含む。
【００４１】
カメラ７４は、画像を撮像する装置であり、ＣＭＯＳイメージセンサなどの撮像素子、被写体の光を撮像素子へ導く光学系、撮像素子において撮像した画像を処理する画像処理装置などを含む。
【００４２】
通信部７５は、ネットワーク９を介して他の装置と通信を行うための装置であり、例えばイーサネット（登録商標）や無線ＬＡＮなどの所定の通信規格に準拠して通信を行う装置（ネットワークインターフェースカードなど）を含む。
【００４３】
メモリ７７は、処理部７９において処理を実行させる１以上のプログラムの命令や、処理に使用されるデータを記憶する。メモリ７７は、例えばＤＲＡＭ、フラッシュメモリ、ハードディスク、ＳＳＤなどの任意の記憶装置を含んでよく、コンピュータのバスや他の任意の通信手段によって処理部７９と接続された複数の記憶装置を含んでもよい。
【００４４】
処理部７９は、メモリ７７に格納された１以上のプログラムの命令に応じて処理を実行する装置であり、１以上のプロセッサ（ＣＰＵ、マイクロプロセッサ、ＤＳＰなど）を含む。メモリ７７の１以上のプログラムを処理部７９の１以上のプロセッサが実行することにより、利用者端末装置２１は１以上のコンピュータとして動作する。
【００４５】
なお、処理部７９は、特定の機能を実現するように構成された１以上の専用のハードウェア（ＡＳＩＣ、ＦＰＧＡなど）を含んでもよい。この場合、処理部７９は、駐車料金の精算や割引に関する処理を、上述した１以上のコンピュータにおいて実行してもよいし、当該処理の少なくとも一部を専用のハードウェアにおいて実行してもよい。
【００４６】
処理部７９は、専用アプリの起動中のトップ画面として、例えば図４に示す第１の画面１２１をディスプレイ７３に表示する。
図４に示す第１の画面１２１は、地図表示領域１３１と、利用者端末装置２１の位置の周辺の駐車場を地図上で表示するための第１の指示入力画像１３３と、道路ナビゲーション動作に切り換える指示を入力するための第２の指示入力画像１３５と、精算指示を入力するための第３の指示入力画像１３７とを含む。
【００４７】
処理部７９は、第１の画面１２１上で第３の指示入力画像１３７が指定操作されると、例えば図５に示す第２の画面１４０−１をディスプレイ７３に表示する。
図５に示す第２の画面１４０−１は、利用者の車両を駐車した駐車場の地図情報表示欄１４１と、その駐車場名を入力するための駐車場名入力欄１４２と、車両を駐車した車室番号を入力するための車室番号入力欄１４３と、割引特典の情報を表示するための割引特典表示欄１４４と、料金確認指示入力欄１４５とを含む。
【００４８】
処理部７９は、図５に示す第２の画面１４０−１の駐車場名入力欄１４２、車室番号入力欄１４３及び割引特典表示欄１４４のそれぞれに対応する情報が入力された状態で、料金確認指示入力欄１４５が指定されると、入力された情報に対応する駐車場ＩＤ、車室ＩＤ、割引特典の情報を含んだ料金情報要求を通信部７５により駐車場サーバ１３へ送信する。
【００４９】
処理部７９は、通信部７５により駐車場サーバ１３からの料金情報通知を受信すると、例えば図６に示す第２の画面１４０−２（精算画面）をディスプレイ７３に表示する。
図６に示す第２の画面１４０−２は、利用者の車両を駐車した駐車場の地図情報表示欄１５１と、その駐車場名の駐車場名表示欄１５２と、車両を駐車した車室番号を表示する車室番号表示欄１５３と、割引特典の情報を表示する割引特典表示欄１５４と、支払金額表示欄１５５と、入出庫時刻表示欄１５６と、決済方法入力欄１５７と、料金再確認指示入力欄１５８と、支払指示入力欄１５９とを含む。
処理部７９は、駐車場サーバ１３から受信した料金情報通知が示す駐車料金（割引特典が行使される場合は、料金情報通知が示す駐車料金から割引特典による割引額が引かれた金額）を支払金額表示欄１５５に表示する。
【００５０】
図６に示す第２の画面１４０−２（精算画面）では、一の利用者が割引特典を行使した場合の駐車料金の精算金額を支払金額表示欄１５５において確認することができる。また、第２の画面１４０−２（精算画面）における割引特典表示欄１５４の内容は、一の利用者が行使可能な割引特典の情報を示すものであり、アプリサーバ２３の後述するデータベース群６７に記憶された利用者特典情報に基づいて構成される。
【００５１】
処理部７９は、駐車料金の支払いに行使する割引特典が図６の割引特典表示欄１５４において利用者により指定された場合、割引特典表示欄１５４に指定された割引特典の情報を表示すると共に、駐車場サーバ１３から受信した駐車料金通知が示す駐車料金から割引特典による割引額が引かれた金額（後述する支払い指示において決済サーバ１５に送信する金額）を支払額として支払金額表示欄１５５に表示する。
なお、支払金額表示欄１５５において表示する金額は、上記のように、割引特典表示欄１５４で指定された割引特典の割引額を駐車料金通知が示す駐車料金から差し引いた金額であってもよいし、駐車場サーバ１３から受信した駐車料金通知が示す駐車料金でもよい。
【００５２】
処理部７９は、図５に示す第２の画面１４０−１の割引特典表示欄１４４、又は図６に示す第２の画面１４０−２の割引特典表示欄１５４が利用者によって指定操作されると、例えば図７に示す割引特典確認画面１６１をディスプレイ７３に表示する。
図７に示す割引特典確認画面１６１は、割引特典コード（識別情報）入力欄１６３と、一の利用者について登録されている割引特典の一覧を示す割引特典一覧表示欄１６５と、ＱＲコード（登録商標）取得指示入力欄１６７と、割引特典使用指示入力欄１６９とを含む。
【００５３】
処理部７９は、割引特典確認画面１６１の割引特典一覧表示欄１６５に表示される１以上の割引特典の中から駐車料金の支払いに行使する割引特典が指定された後で、割引特典使用指示入力欄１６９が操作されると、割引特典一覧表示欄１６５で指定された割引特典に関する情報（割引額、割引の内容など）をアプリサーバ２３から取得して、図５に示す割引特典表示欄１４４や図６に示す割引特典表示欄１５４に表示する。
【００５４】
処理部７９は、図６に示す第２の画面１４０−２上で決済方法入力欄１５７が指定操作されると、図８に示すように決済方法の詳細が表示されたネット決済確認画面１８１をディスプレイ７３に表示する。複数の決済方法が登録されている場合、図８に示すネット決済確認画面１８１では、複数の決済方法の中から駐車料金の支払いに使用する決済方法を選択することができる。
【００５５】
処理部７９は、図６に示す第２の画面１４０−２において支払指示入力欄１５９が指定されると、図９に示す確認画面１４０−３をディスプレイ７３に表示する。この確認画面１４０−３において「ｏｋ」が指定されると、処理部７９は、決済方法入力欄１５７に入力された決済方法に対応する決済サーバ１５へ支払い指示を送信する。この支払指示には、支払金額表示欄１５５に表示する金額（駐車場サーバ１３からの料金情報通知が示す駐車料金から割引特典表示欄１５４で指定された割引特典の割引額を差し引いた金額）に相当する精算金額の情報が含まれる。
【００５６】
支払い指示を受信した決済サーバ１５により決済処理が実行され、支払いが適切に完了したことを示す支払い完了通知を決済サーバ１５から受信すると、処理部７９は、図１０に示す支払い完了通知画面１４０−４をディスプレイ７３に表示する。
【００５７】
処理部７９は、決済サーバ１５から支払い完了通知を受信すると、駐車場サーバ１３及びアプリサーバ２３へそれぞれ支払い完了通知を送信する。これにより、駐車場サーバ１３では、車両のロックを解除するようにフラップ装置１７が制御され、アプリサーバ２３では、割引特典の行使に伴うポイントの減算処理が行われる。
【００５８】
［事業者端末装置２５］
事業者端末装置２５は、例えば図３に示すように、操作部８１と、ディスプレイ８３と、通信部８５と、メモリ８７と、処理部８９とを有する。事業者端末装置２５の操作部８１、ディスプレイ８３、通信部８５、メモリ８７、処理部８９は、既に説明した利用者端末装置２１の操作部７１、ディスプレイ７３、通信部７５、メモリ７７、処理部７９と同様なハードウェア（装置、機器、回路等）を用いて構成することが可能である。
【００５９】
事業者端末装置２５の処理部８９は、専用のアプリケーションプログラムや汎用のウェブブラウザなどによってアプリサーバ２３にアクセスし、利用者に対する割引特典の付与に関する処理を行う。例えば、処理部８９は、操作部８１において入力される指示に応じて、駐車場の利用者（例えば店舗等を利用した顧客）に対する割引特典の付与を指示する特典付与指示をアプリサーバ２３に送信する処理や、ポイントの購入を指示するポイント購入指示をアプリサーバ２３若しくは決済サーバ１５に送信する処理を行う。また、処理部８９は、保有するポイントが所定のしきい値を下回ったことを警告する通知をアプリサーバ２３から受信し、当該通知が含まれた画面をディスプレイ８３に表示する処理を行う。
【００６０】
［付帯事業者端末装置２７］
事業者端末装置２５は、例えば図３に示すように、操作部９１と、ディスプレイ９３と、通信部９５と、メモリ９７と、処理部９９とを有する。付帯事業者端末装置２７の操作部９１、ディスプレイ９３、通信部９５、メモリ９７、処理部９９は、既に説明した利用者端末装置２１の操作部７１、ディスプレイ７３、通信部７５、メモリ７７、処理部７９と同様なハードウェア（装置、機器、回路等）を用いて構成することが可能である。
【００６１】
付帯事業者端末装置２７の処理部９９は、専用のアプリケーションプログラムや汎用のウェブブラウザなどによってアプリサーバ２３にアクセスし、利用者に対する割引特典の付与に関する処理を行う。例えば、処理部９９は、操作部９１において入力される指示に応じて、駐車場の利用者（例えば店舗等を利用した顧客）に対する割引特典の付与を指示する特典付与指示をアプリサーバ２３に送信する処理などを行う。
【００６２】
［アプリサーバ２３］
アプリサーバ２３は、例えば図２に示すように、通信部６１と、メモリ６３と、処理部６５とを有する。
【００６３】
通信部６１は、ネットワーク９を介して他の装置と通信を行うための装置であり、例えばイーサネット（登録商標）や無線ＬＡＮなどの所定の通信規格に準拠して通信を行う装置（ネットワークインターフェースカードなど）を含む。
【００６４】
メモリ６３は、処理部６５において処理を実行させる１以上のプログラムの命令や、処理に使用されるデータを記憶する。メモリ６３は、例えばＤＲＡＭ、フラッシュメモリ、ハードディスク、ＳＳＤなどの任意の記憶装置を含んでよく、コンピュータのバスや他の任意の通信手段によって処理部６５と接続された複数の記憶装置を含んでもよい。
【００６５】
処理部６５は、メモリ６３に格納された１以上のプログラムの命令に応じて処理を実行する装置であり、１以上のプロセッサ（ＣＰＵ、マイクロプロセッサ、ＤＳＰなど）を含む。メモリ６３の１以上のプログラムを処理部６５の１以上のプロセッサが実行することにより、アプリサーバ２３は１以上のコンピュータとして動作する。
【００６６】
例えばアプリサーバ２３は、相互に通信可能な複数のコンピュータにより構成されていてもよい。
【００６７】
データベース群６７は、情報を検索可能に記憶した複数のデータベースにより構成されており、それぞれのデータベースにおいて情報の格納、検索、読み出し、書き込み等を行う。
データベース群６７は、駐車料金の精算や割引に関する処理で用いられる情報として、利用者情報と、事業者情報と、付帯事業者情報と、駐車場情報と、利用者特典情報と、割引特典情報とを記憶する。
【００６８】
利用者情報は、駐車場の利用者に関する情報であり、例えば利用者ＩＤと関連付けられた各利用者の情報（氏名、住所、電子メールアドレス、ログイン用パスワード、支払い方法の種別など）を含む。
【００６９】
事業者情報は、割引特典の付与を行う事業者に関する情報であり、例えば事業者ＩＤと関連付けられた各事業者の情報（名称、住所、電子メールアドレス、ログイン用パスワード、支払い方法の種別、保有するポイント（ポイント情報）など）を含む。
【００７０】
付帯事業者情報は、事業者に関連付けられた付帯事業者に関する情報であり、例えば付帯事業者ＩＤと関連付けられた各付帯事業者の情報（関連付けられた事業者の事業者ＩＤ、付帯事業者の名称、住所、電子メールアドレス、ログイン用パスワードなど）を含む。
【００７１】
駐車場情報は、駐車場に関する情報であり、例えば駐車場ＩＤと関連付けられた各駐車場の情報（駐車場管理者ＩＤ、所在地、地域ＩＤ、駐車場の種別、車室の数など）を含む。
【００７２】
利用者特典情報は、各利用者に付与された割引特典に関する情報であり、例えば利用者ＩＤと関連付けられた各利用者の割引特典の情報（利用者に付与された割引特典を示す割引特典ＩＤなど）
【００７３】
割引特典情報は、複数の割引特典の各々における割引適用条件及び割引内容に関する情報であり、例えば割引特典ＩＤと関連付けられた各割引特典の情報（割引適用条件に関する情報、割引内容に関する情報）を含む。
【００７４】
割引特典情報の割引適用条件は、例えば、次に示す（１−１）〜（１−１０）の少なくとも１つを含む。
【００７５】
（１−１）割引が適用される期間に関する条件
例えば、割引特典を付与してから一定期間内の駐車場の利用に対してこの割引適用条件が設定される。これにより、店舗等の利用に応じて割引特典を付与してから駐車場を利用するまでの期間が短くなるため、駐車場の利用頻度を高めることができる。
【００７６】
（１−２）駐車料金の精算を行う駐車場に関する条件
例えば、新規にオープンする駐車場に対してこの割引適用条件が設定される。これにより、新規にオープンする駐車場の周知を図ることができる。
【００７７】
（１−３）駐車料金の精算を行う駐車場がある地域に関する条件
例えば、利用頻度が低い地域にある駐車場に対してこの割引適用条件が設定される。これにより、利用頻度が低い地域にある駐車場の利用を促進させることができる。
【００７８】
（１−４）駐車料金の精算を行う駐車場の利用頻度に関する条件
例えば、利用頻度が低い駐車場に対してこの割引適用条件が設定される。これにより、利用頻度が低い駐車場の利用を促進させることができる。
【００７９】
（１−５）駐車料金の精算を行う駐車場の車室毎の利用頻度に関する条件
例えば、利用頻度が低い車室に対してこの割引適用条件が設定される。これにより、利用頻度が低い車室の利用を促進させることができる。
【００８０】
（１−６）駐車場を利用した時間帯に関する条件
例えば、利用頻度が低い時間帯での駐車場の利用に対してこの割引適用条件が設定される。これにより、利用頻度が低い時間帯での利用を促進させることができる。
【００８１】
（１−７）駐車場を利用した曜日、月又は期間に関する条件
例えば、利用頻度が低い曜日や月、休日、イベント開催期間などにおける駐車場の利用に対してこの割引特典条件が設定される。これにより、利用頻度が低い時間帯での利用を促進させることができる。
【００８２】
（１−８）駐車料金の精算を行う駐車場における天気に関する条件
例えば、駐車場の利用頻度が低くなる天候での利用に対してこの割引適用条件が設定される。これにより、利用頻度が低くなる天候での駐車場の利用を促進させることができる。
【００８３】
（１−９）駐車料金の精算を行う利用者に関する条件
例えば、上客である特定の顧客（利用者）に対してこの割引適用条件が設定される。これにより、上客である特定の顧客に対するホスピタリティの向上を図り、顧客満足度を高めることができる。
【００８４】
（１−１０）駐車料金の精算を行う利用者が駐車料金を前払いしていることに関する条件
例えば、所定金額以上の駐車料金を前払いしている利用者に対してこの割引適用条件が設定される。これにより、駐車料金の前払いによる駐車場の利用を促進させることができる。
【００８５】
（１−１１）駐車料金の精算を行う利用者に対して所定の期間内の駐車料金が設定されていることに関する条件
例えば、所定の期間内（１か月など）の駐車料金を予め設定した利用者に対してこの割引適用条件が設定される。これにより、例えば月極など、所定の期間内の駐車料金を定めた駐車場の利用を促進させることができる。
【００８６】
（１−１２）駐車料金の精算を行う利用者の駐車場利用状況に関する条件
例えば、駐車場の利用頻度が所定の頻度より高い利用者に対してこの割引適用条件が設定される。これにより、駐車場の利用頻度を高めることに対する利用者のインセンティブを高めて駐車場の利用を促進させることができる。
【００８７】
割引特典情報の割引内容は、例えば、次に示す（２−１）〜（２−６）の少なくとも１つを含む。
【００８８】
（２−１）設定された時間だけ若しくは時間制限なしに駐車料金を無料にする
例えば、駐車料金を１時間無料にする場合などが、この割引内容に当てはまる。
【００８９】
（２−２）設定された金額だけ駐車料金を割引する
例えば、駐車料金を５００円無料にする場合などが、この割引内容に当てはまる。
【００９０】
（２−３）所定時間あたりの駐車料金を、設定された時間だけ若しくは時間制限なしに、設定された金額だけ割引する
例えば、１時間あたりの駐車料金を１２時間だけ１００円引きにする場合などが、この割引内容に当てはまる。
【００９１】
（２−４）設定された期間における駐車料金を設定された最大料金以下にする
例えば、夜間の駐車料金を標準の金額より安い最大料金以下にする場合などが、この割引内容に当てはまる。
【００９２】
（２−６）設定された期間の駐車料金を一定の金額にする
例えば、一カ月分の駐車料金を標準の金額より安い一定の金額にする場合などが、この割引内容に当てはまる。
【００９３】
（２−７）駐車料金の精算額に応じて割引特典を付与する
例えば、駐車料金の精算額の１０パーセントに相当する金額を（２−２）の割引額として割引特典を付与する場合などが、この割引内容に当てはまる。
【００９４】
アプリサーバ２３の処理部６５は、駐車料金の割引に関する処理として、次のような処理を実行する。
【００９５】
処理部６５は、一の事業者が１以上の利用者に対して新たな割引特典を付与することを示す特典付与指示を事業者端末装置２５（又は付帯事業者端末装置２７）から受信すると、受信した特典付与指示に応じて利用者特典情報を更新する。この場合、処理部６５は、特典付与指示に係る一の事業者が保有するポイントを利用者情報から取得し、特典付与指示に係る割引特典の割引額に対応するポイントに比べて、この利用者情報から取得したポイントが小さい場合には、特典付与指示に応じた利用者特典情報の更新を行わないようにする。
【００９６】
なお、処理部６５は、利用者情報から取得したポイントが所定のしきい値より小さい場合、特典付与指示に応じた利用者特典情報の更新を行わないようにしてもよい。
【００９７】
処理部６５は、一の利用者が割引特典を行使した場合の駐車料金の精算金額を確認可能な精算画面（図６）を利用者端末装置２１において表示させる。精算画面には、例えば図６に示すように、一の利用者が行使可能な１以上の割引特典の情報（割引特典表示欄１５４）が含まれる。この場合、処理部６５は、利用者特典情報において当該一の利用者が行使可能であり、かつ、割引特典情報の割引適用条件を満たした割引特典の割引内容に関する情報を含むように構成された精算画面（図６）を利用者端末装置２１において表示させる。
【００９８】
処理部６５は、精算画面（図６）において確認された精算金額により駐車料金の支払いが完了したことを示す支払い完了通知であって、少なくとも１つの割引特典を行使した駐車料金の支払いが完了したことを示す支払い完了通知を受信すると、当該少なくとも１つの割引特典を付与した少なくとも１つの事業者が保有するポイントから、当該少なくとも１つの割引特典の割引額に応じた値をそれぞれ減算する。
この場合、処理部６５は、一の付帯事業者が付与した割引特典を行使した駐車料金の支払いが完了したことを示す支払い完了通知を受信すると、付帯事業者情報において当該一の付帯事業者に関連付けられた事業者が保有するポイントから、当該一の付帯義業者が付与した割引特典の割引額に応じた値を減算する。
【００９９】
処理部６５は、一の事業者がポイントを購入したことを示すポイント購入通知を受信した場合に、受信したポイント購入通知に応じて当該一の事業者が保有するポイントを加算するようにポイント情報を更新する。
【０１００】
処理部６５は、一の事業者が保有するポイントの値が所定の下限値を下回った場合に、ポイントの減少を警告する通知を含んだ画面を事業者端末装置２５において表示させる。
【０１０１】
［動作例］
ここで、上述したシステム１における駐車料金の精算と割引に関する動作について図１１〜図１３を参照して説明する。
【０１０２】
図１１は、事業者がポイントを購入する処理の一例を説明するための図である。
事業者端末装置２５は、事業者ＩＤとログイン用パスワードとを含んだログイン要求をアプリサーバ２３に送信する（ＳＴ１０１）。アプリサーバ２３は、受信したログイン要求に含まれる事業者ＩＤ及びログイン用パスワードを事業者情報に含まれるものと照合することにより、ログイン要求に係る事業者を認証する（ＳＴ１０３）。事業者を認証できた場合、アプリサーバ２３は、事業者端末装置２５のログイン要求を許可する（ＳＴ１０５）。
【０１０３】
アプリサーバ２３は、ポイントの購入を求めるポイント購入要求を事業者端末装置２５から受信すると（ＳＴ１０７）、ポイント購入要求に含まれる決済方法の情報に対応した決済サーバ１５に対して、ポイント購入要求に含まれる購入金額分の決済を行うように決済要求を送信する（ＳＴ１１１）。決済サーバ１５は、受信した決済要求に応じて、ポイント購入要求元の事業者からポイントの販売者（例えばアプリサーバ２３の運営者）に対してポイント購入代金を支払う決済処理を実行する（ＳＴ１１１）。決済サーバ１５は、この決済処理が完了すると、アプリサーバ２３に対して決済完了通知を送信する（ＳＴ１１３）。
【０１０４】
アプリサーバ２３は、ポイント購入要求元である一の事業者がポイントを購入したことを示すポイント購入通知として、決済サーバ１５から決済完了通知を受信した場合（ＳＴ１１３）、受信した決済完了通知（ポイント購入通知）に応じて当該一の事業者が保有するポイントを加算するように事業者情報のポイント情報を更新する（ＳＴ１１５）。アプリサーバ２３は、ポイント情報を更新すると、ポイント購入要求元の事業者端末装置２５に対してポイント購入完了通知を送信し、事業者端末装置２５において表示させる（ＳＴ１１７）。
このように、ポイントを購入する処理によってポイントの保有数を増やすことができるため、割引特典の付与を継続的に実施するために店舗等へ割引券を配布するような手間が無くなり、駐車料金の割引に要する作業を削減できる。
【０１０５】
図１２は、駐車場の利用者に事業者が割引特典を付与する処理の一例を説明するための図である。
事業者端末装置２５（又は付帯事業者端末装置２７）は、事業者ＩＤ（又は付帯事業者ＩＤ）とログイン用パスワードとを含んだログイン要求をアプリサーバ２３に送信する（ＳＴ２０１）。アプリサーバ２３は、受信したログイン要求に含まれる事業者ＩＤ（又は付帯事業者ＩＤ）及びログイン用パスワードを事業者情報（又は付帯事業者情報）に含まれるものと照合することにより、ログイン要求に係る事業者（又は付帯事業者）を認証する（ＳＴ２０３）。事業者（又は付帯事業者）を認証できた場合、アプリサーバ２３は、事業者端末装置２５（又は付帯事業者端末装置２７）のログイン要求を許可する（ＳＴ２０５）。
【０１０６】
アプリサーバ２３は、一の事業者が１以上の利用者に対して新たな割引特典を付与することを示す特典付与指示を事業者端末装置２５（又は付帯事業者端末装置２７）から受信すると（ＳＴ２０７）、新たに付与する割引特典を示す割引特典識別情報を生成し（２０９）、生成した割引特典識別情報を含む二次元コード（ＱＲコード（登録商標）など）を事業者端末装置２５において表示させる（ＳＴ２１１）。
【０１０７】
ただし、アプリサーバ２３は、事業者端末装置２５から特典付与指示を受信した場合、受信した特典付与指示に係る事業者が保有するポイントを事業者情報のポイント情報から取得し、特典付与指示に係る割引特典の割引額に対応するポイントに比べてポイント情報から取得したポイントが小さい場合、特典付与指示に応じた利用者特典情報の更新を行わない。
またアプリサーバ２３は、付帯事業者端末装置２７から特典付与指示を受信した場合、受信した特典付与指示に係る付帯事業者に関連付けられた事業者を付帯事業者情報に基づいて特定し、特定した事業者が保有するポイントを事業者情報のポイント情報から取得する。特典付与指示に係る割引特典の割引額に対応するポイントに比べてポイント情報から取得したポイントが小さい場合、アプリサーバ２３は、特典付与指示に応じた利用者特典情報の更新を行わない。
特典付与指示に応じた利用者特典情報の更新を行わない場合、例えばアプリサーバ２３は、ステップＳＴ２０７の割引特典識別情報の生成を実施せず、ステップＳＴ２０９の二次元コードの表示を行う代わりに、ポイントの不足によって割引特典の付与が出来ないことを示す通知を事業者端末装置２５（又は付帯事業者端末装置２７）において表示させる。
これにより、保有するポイントが不足した事業者（又は当該事業者に関連付けられた付帯事業者情報）による割引特典の付与を実施できなくすることが可能となる。
【０１０８】
なお、上記の例では、事業者情報のポイント情報から取得したポイントに比べて、特典付与指示に係る割引特典の割引額に対応するポイントが小さい場合に、特典付与指示に応じた利用者特典情報の更新を行わないようにしているが、本実施形態の他の例では、特典付与指示に係る割引特典の割引額に対応するポイントが所定のしきい値に比べて小さい場合に、特典付与指示に応じた利用者特典情報の更新を行わないようにしてもよい。
【０１０９】
割引特典を示す割引特典識別情報が含まれた二次元コードを事業者端末装置２５（又は付帯事業者端末装置２７）が表示しているとき（ＳＴ２１１）、割引特典の付与を受ける利用者端末装置２１は、表示された二次元コードをカメラ７４により撮像して読み取り、二次元コードに含まれた割引特典識別情報を取得する（ＳＴ２１３）。アプリサーバ２３は、二次元コードから読み取られた割引特典識別情報を利用者端末装置２１から受信すると（ＳＴ２１５）、ステップＳＴ２０９で生成した割引特典識別情報と、利用者端末装置２１から受信した割引特典識別情報とを照合する。照合の結果、両者の割引特典識別情報が一致する場合、アプリサーバ２３は、二次元コードを表示した事業者端末装置２５の事業者（又は付帯事業者端末装置２７の付帯事業者）が、二次元コードを読み取った利用者端末装置２１の利用者に対して、割引特典識別情報が示す割引特典を付与したこと示すように利用者特典情報を更新する（ＳＴ２１７）。またアプリサーバ２３は、この利用者の利用者端末装置２１に対してこの割引特典の情報を送信し、割引特典が付与されたことを通知する（ＳＴ２１９）。
【０１１０】
図１３は、駐車料金の精算と決済に関する処理の一例を説明するための図である。
利用者端末装置２１は、図５に示す画面（第２の画面１４０−１）において、駐車料金の精算に関する情報（駐車場の情報、使用する割引特典の情報など）が入力されて（ＳＴ３０１）、精算金額の確認を求める指示が入力されると、精算の対象となる駐車場を管理する駐車場サーバ１３に対して駐車料金の情報を要求する料金情報要求を送信する（ＳＴ３０３）。利用者端末装置２１は、料金情報要求に応答した駐車場サーバ１３から、駐車料金の情報を含む料金情報通知を受信する（ＳＴ３０５）。また、利用者端末装置２１は、図５に示す画面（第２の画面１４０−１）において入力された割引特典に関する情報を要求する特典情報要求をアプリサーバ２３に対して送信し、特典情報要求に応答したアプリサーバ２３から、割引特典に関する情報を含んだ特典情報通知を受信する（ＳＴ３０９）。これにより、利用者端末装置２１は、駐車料金の情報と割引特典の情報とを含んだ図６に示す精算画面（第２の画面１４０−２）を表示する。この場合、精算画面において表示される割引特典の情報には、利用者特典情報において利用者が行使可能であり、かつ、割引特典情報の割引適用条件を満たしている割引特典の割引内容に関する情報が含まれる。
【０１１１】
精算画面（第２の画面１４０−２）において精算金額の支払いを行う指示が入力されると、利用者端末装置２１は、決済方法入力欄１５７に入力された決済方法に対応する決済サーバ１５へ支払い指示を送信する（ＳＴ３１３）。この支払指示には、支払金額表示欄１５５に表示する金額（駐車場サーバ１３からの料金情報通知が示す駐車料金から割引特典表示欄１５４で指定された割引特典の割引額を差し引いた金額）に相当する精算金額の情報が含まれる。支払い指示を受信した決済サーバ１５により決済処理が実行され（ＳＴ３１５）、支払いが完了したことを示す支払い完了通知を決済サーバ１５から受信すると（ＳＴ３１７）、利用者端末装置２１は、支払い完了通知画面１４０−４（図１０）をディスプレイ７３に表示する。また利用者端末装置２１は、アプリサーバ２３と駐車場サーバ１３にそれぞれ支払い完了通知を送信する（ＳＴ３１９、ＳＴ３２３）。
【０１１２】
利用者端末装置２１から支払い完了通知を受信した駐車場サーバ１３は、支払い完了通知に含まれる駐車場の情報に基づいて、駐車料金の支払いが完了した駐車場の車室のフラップ装置１７を制御し、車両のロックを解除する（ＳＴ３２１）。
【０１１３】
また、利用者端末装置２１から支払い完了通知を受信したアプリサーバ２３は、支払い完了通知に含まれる割引特典の情報と事業者の情報（又は付帯事業者情報の情報）とに基づいて、割引特典の付与を行った事業者が保有するポイント（又は、割引特典の付与を行った付帯事業者情報に関連付けられた事業者が保有するポイント）から、割引特典の割引額に対応する値を減算する（ＳＴ３２５）。
【０１１４】
上述のようなポイントの減算によって一の事業者が保有するポイントが所定の下限値を下回った場合、アプリサーバ２３は、ポイントの減少を警告する通知（例えば「ポイントの残高が少なくなりました。」等）を含んだ画面を当該一の事業者の事業者端末装置２５において表示させる。これにより、事業者が気付かないうちにポイントが枯渇してしまい、割引特典を付与できなくなる状態になることを回避できる。
【０１１５】
アプリサーバ２３は、支払い完了通知に含まれる割引特典の情報（例えば割引特典ＩＤ）に基づいて、駐車料金の支払いを行った利用者が保有中の割引特典から、この駐車料金の支払いに行使された割引特典を削除するように、利用者特典情報を更新する（ＳＴ３２７）。これにより、駐車料金の支払いに行使された割引特典は、図７の割引特典確認画面１６１に表示されなくなり、駐車料金の支払いに再度行使することはできなくなる。
【０１１６】
なお、アプリサーバ２３は、割引特典情報において所定回数（複数回）までの行使を許可した割引特典が設定されている場合には、当該割引特典に係る支払い完了通知に応じて、利用者による当該割引特典の通算の行使回数を利用者特典情報に記録し、この通算の行使回数が所定回数に達した場合に、当該利用者が保有中の割引特典から当該割引特典を削除するように利用者特典情報を更新してもよい。
また、プリサーバ２３は、割引特典情報において割引特典の行使回数を制限しない割引特典が設定されている場合には、当該割引特典についてステップＳＴ３２７の利用者特典情報の更新（割引特典の削除等）を行わなくてもよい。
【０１１７】
以上説明したように、本実施形態によれば、駐車料金の精算画面（図６）において確認された精算金額により駐車料金の支払いが完了したことを示す支払い完了通知であって、少なくとも１つの割引特典を行使した駐車料金の支払いが完了したことを示す支払い完了通知がアプリサーバ２３において受信されると、当該少なくとも１つの割引特典を付与した少なくとも１つの事業者が保有するポイントから、当該少なくとも１つの割引特典の割引額に応じた値がそれぞれ減算される。
これにより、駐車料金の割引特典の付与に関わる処理を事業者毎に保有するポイントに基づいて行うことが可能となるため、紙の割引券を駐車場の運営事業者などから購入して店舗等に配送する手間が不要となり、駐車料金の割引特典の付与に関わる作業を減らすことができる。
【０１１８】
また、本実施形態によれば、割引特典における特典付与条件や割引内容をフレキシブルに設定することが可能になるため、事業者や付帯事業者情報の顧客となる駐車場の利用者の満足度を高めることができるとともに、駐車場の利用頻度を向上させることができる。
【０１１９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【０１２０】
上述した実施形態では、入庫時には利用者端末装置２１の専用アプリによる処理が行われないが、当該専用アプリが何等かの入庫処理及び出庫処理をするようにしてもよい。
【０１２１】
図１３の例では、店舗等を訪れた利用者の利用者端末装置２１において二次元コードを読み取らせることにより割引特典を付与しているが、利用者に対して割引特典を付与する方法はこの例に限定されない。本実施形態の他の例では、近距離無線通信の機能を備えたスマートフォンやＩＣカードなどを用いて、割引特典を付与するようにしてもよい。また、割引特典の付与の機会は、店舗等を訪れた場合に限定されるものではなく、１以上の特定若しくは不特定の利用者に対して任意の機会に割引特典を付与してよい。利用者の特定のアクションを条件とせずに割引特典を付与した場合には、専用アプリの画面上や電子メール等によって割引特典が付与されたことを利用者に通知するようにしてもよい。
【０１２２】
図１３の例では、利用者端末装置２１が駐車場サーバ１３に対して駐車料金の情報を要求する料金情報要求を送信し（ＳＴ３０３）、これに応答した駐車場サーバ１３から利用者端末装置２１へ駐車料金の情報が送信されているが（ＳＴ３０５）、本実施形態はこの例に限定されない。本実施形態の他の例では、利用者端末装置２１がアプリサーバ２３に対して駐車料金の情報を要求する料金情報要求を送信し、この料金情報要求をアプリサーバ２３が駐車場サーバ１３に対して送信してもよい。この場合、駐車場サーバ１３がアプリサーバ２３に対して駐車料金の情報を送信し、この駐車料金の情報をアプリサーバ２３が利用者端末装置２１に対して送信するようにしてもよい。
【０１２３】
図１３の例では、利用者端末装置２１が決済サーバ１５に対して支払い指示を送信し（ＳＴ３１３）、これに応答した決済サーバ１５が利用者端末装置２１に対して支払い完了通知を送信しているが、本実施形態はこの例に限定されない。本実施形態の他の例では、利用者端末装置２１がアプリサーバ２３に対して支払い指示を送信し、この支払指示をアプリサーバ２３が決済サーバ１５に対して送信してもよい。この場合、決済サーバ１５がアプリサーバ２３に対して支払い完了通知を送信し、この支払い完了通知をアプリサーバ２３が利用者端末装置２１に対して送信してもよい。
【０１２４】
図１３の例では、利用者端末装置２１が駐車場サーバ１３に対して支払い完了通知を送信しているが（ＳＴ３１９）、本実施形態はこの例に限定されない。本実施形態の他の例では、アプリサーバ２３が駐車場サーバ１３に対して支払い完了通知を送信してもよい。例えば、利用者端末装置２１がアプリサーバ２３に対して支払い指示を送信し、この支払指示をアプリサーバ２３が決済サーバ１５に対して送信し、支払い指示に応じて決済処理を実行した決済サーバ１５がアプリサーバ２３に対して支払い完了通知を送信した場合に、この支払い完了通知をアプリサーバ２３が駐車場サーバ１３に対して送信してもよい。
【０１２５】
図６の精算画面の例では、１回の駐車料金の支払いに対して１つの割引特典を行使する例を挙げたが、本実施形態の他の例では、１回の駐車料金の支払いに対して２以上の割引特典を行使してもよい。２以上の割引特典が、２以上の異なる事業者から直接付与されたもの（又は付帯事業者を介して間接的に付与されたもの）である場合、アプリサーバ２３は、精算金額の支払い完了通知を受信した際に、２以上の異なる事業者の各々が保有するポイントを、各事業者が付与した割引特典の割引額に対応する値だけ減算してよい。
【０１２６】
上述した実施形態では、駐車場の車室毎に設置されたフラップ装置１７において検出される車両毎の入庫の情報に基づいて駐車料金が計算される例を示したが、本実施形態の他の例では、車両のナンバ等の車両識別情報を用いて駐車料金の計算を行ってもよい。この場合、駐車場に設置されたカメラによって車両の車両識別情報を読み取ることにより、車両毎の入庫の情報を取得して、駐車料金の計算を行うことができる。
【０１２７】
上述した実施形態では、利用者が図５に示す第２の画面１４０−１の駐車場名入力欄１４２及び車室番号入力欄１４３で駐車場情報及び車室番号の入力をする場合を例示したが、利用者端末装置２１の位置検出システムあるいはフラップ装置１７との通信等により、これらの情報の少なくとも一つを自動的に設定、あるいは選択できるようにしてもよい。
また、駐車場サーバ１３が車室候補を提供するようにしてもよい。
【符号の説明】
【０１２８】
１  …システム
１３  …駐車場サーバ
５１…通信部
５３…メモリ
５５…処理部
１５  …決済サーバ
１７  …フラップ装置
４１…フラップ
４３…車両検出センサ
４５…通信部
４７…処理部
２１  …利用者端末装置
７１…操作部
７３…ディスプレイ
７５…通信部
７７…メモリ
７９…処理部
２３  …アプリサーバ
６１…通信部
６３…メモリ
６５…処理部
２５  …事業者端末装置
２７  …付帯事業者端末装置
１２１…第１の画面
１３１…地図表示領域
１３３…第１の指示入力画像
１３５…第２の指示入力画像
１３７…第３の指示入力画像
１４０−１…第２の画面
１４１  …地図情報表示欄
１４２  …駐車場名入力欄
１４３  …車室番号入力欄
１４４  …割引特典表示欄
１４５  …支払い完了通知画面
１４０−２…第２の画面
１５１  …地図情報表示欄
１５２  …駐車場名表示欄
１５３  …車室番号表示欄
１５４  …割引特典表示欄
１５５  …支払金額表示欄
１５６  …入出庫時刻表示欄
１５７  …決済方法入力欄
１５８  …料金再確認指示入力欄
１５９  …支払指示入力欄
１４０−３…確認画面
１４０−４…完了通知画面
１６１  …割引特典確認画面
１６３…割引特典コード入力欄
１６５…割引特典一覧表示欄
１６７…ＱＲコード（登録商標）取得指示入力欄
１６９…割引特典使用指示入力欄
１８１  …ネット決済確認画面
【要約】
【課題】駐車料金の割引に係る作業を減らすことができるシステムを提供する。
【解決手段】駐車料金の精算画面において確認された精算金額により駐車料金の支払いが完了したことを示す支払い完了通知であって、少なくとも１つの割引特典を行使した駐車料金の支払いが完了したことを示す支払い完了通知がアプリサーバ２３において受信されると（ＳＴ３１９）、当該少なくとも１つの割引特典を付与した少なくとも１つの事業者が保有するポイントから、当該少なくとも１つの割引特典の割引額に応じた値がそれぞれ減算される（ＳＴ３２５）。
【選択図】図１３【図１】
0006882743.tif 000002
【図２】
0006882743.tif 000003
【図３】
0006882743.tif 000004
【図４】
0006882743.tif 000005
【図５】
0006882743.tif 000006
【図６】
0006882743.tif 000007
【図７】
0006882743.tif 000008
【図８】
0006882743.tif 000009
【図９】
0006882743.tif 000010
【図１０】
0006882743.tif 000011
【図１１】
0006882743.tif 000012
【図１２】
0006882743.tif 000013
【図１３】
0006882743.tif 000014